(57)【要約】      （修正有）【課題】脚が開かれた状態でロックするようにし、安全性を高めた脚のロック装置を提供する。【解決手段】天板の一端側に取付けられている回動可能な両側の脚にそれぞれ連結されたアーム２５の先端部を連結するように被ロックピン２７を連結し、被ロックピン２７がレール２０の両側の摺動溝２４内を摺動するとともに、この被ロックピン２７がレール２０の終端側の内部に組込まれたロックレバー３２の折曲げ部３８に係合してロックされるようにし、ロック解除を行なう場合には、このロックレバー３２のレール２０の開口４２から突出している操作部４１を上方に押圧操作し、これによってロック解除を行なうようにする。【選択図】図３
0003186602.tif 000002
【実用新案登録請求の範囲】
【請求項１】
天板の下面に回動可能に取付けられた脚を前記天板の下面から引出してロックするようにした脚のロック装置において、
前記天板の下面に取付けられ、内部が空洞になっており、しかも側面に摺動溝を有するレールと、
前記脚の中間位置に連結されたアームと、
前記アームの先端部に連結され、前記レールの摺動溝内を移動する被ロックピンと、
前記レール内において回動自在に取付けられるとともに、ロック方向に回動付勢され、前記脚が引出されたときに前記被ロックピンをロックするロックレバーと
を具備する脚のロック装置。
【請求項２】
前記被ロックピンの前記摺動溝から突出した部分が前記アームの先端部と連結されている請求項１に記載の脚のロック装置。
【請求項３】
前記レールの両側面に摺動溝が設けられ、前記被ロックピンの両側の摺動溝から突出する部分が両側の脚のアームの先端部と連結されて前記レール内を移動する請求項２に記載の脚のロック装置。
【請求項４】
前記ロックレバーの長さ方向の先端部に該長さ方向に対して折曲げられた折曲げ部が形成され、該折曲げ部が前記被ロックピンと係合する請求項１〜３の何れかに記載の脚のロック装置。
【請求項５】
前記ロックレバーの前記折曲げ部の両側に先端側に延出された案内板が設けられ、該案内板が前記被ロックピンによって押されて前記ロックレバーをロック方向とは逆の方向に回動させることにより前記被ロックピンが前記折曲げ部を乗越えて該折曲げ部でロックされる請求項４に記載の脚のロック装置。
【請求項６】
前記レールの前記脚側端部に開口が形成され、該開口を通して前記ロックレバーの先端側の操作部が外側に延出されており、該操作部を押圧操作すると前記ロックレバーが非ロック方向に回動されて折曲げ部が前記被ロックピンから外れてロックが解除される請求項４または５に記載の脚のロック装置。
【考案の詳細な説明】
【技術分野】
【０００１】
本考案は脚のロック装置に係り、とくに天板の下面に回動可能に取付けられた脚を天板の下面から引出してロックするようにした脚のロック装置に関する。
【背景技術】
【０００２】
天板を例えばその四隅に設けられた脚によって支持するようにした家具において、とくに脚を収納位置から引出し位置に引出して直立させた状態で何等かの手段によってロックする必要がある。ロックしておかないと、使用時に脚がふらついたり内側の収納位置側に回動したりする可能性がある。
【０００３】
そこで例えば特開２００７−２７５２１５号公報には、支持脚の折りたたみ操作とロック解除操作とが容易になるようにするとともに、ロックレバーの周縁を断面水平にしてレバーと支杆の摩擦を小さくし、支杆の摺動時にガタを生じないようにし、しかもロック性を高めるとともに堅牢にし、かつ容易および安価に製造できるようにしたロック装置であって、天板との間に支杆頂部が摺動する通過路を有するレールを断面コ字状に形成し、通過路の両端に支杆頂部の第１および第２係止部を形成し、レールの外向端近傍に断面コ字状のレバーを外嵌するとともに回動自在に取付け、レバーを常時は閉方向に付勢し、レバーの両側板の各内向端から支杆頂部により排除される斜縁を凸弧状に形成し、凸弧部に連続するとともに第１の係止部に対応する位置に支杆頂部の嵌入溝を凹設し、レバーの下面板の外端を延出して押え片を形成するようにしたロック装置が開示されている。
【０００４】
このロック装置は、断面コ字状のレバーをレールの外側に摺動自在に外嵌するようにしているために、レバーが外に露出しており、しかもこのレバーがレール上を摺動することになる。従って、レバーとレールとの間で指を挟む等の危険性があり、安全性に問題を有している。
【先行技術文献】
【特許文献】
【０００５】
【特許文献１】特開２００７−２７５２１５公報
【考案の概要】
【考案が解決しようとする課題】
【０００６】
本願考案の課題は、引出し位置にある脚を確実にロックするようにした脚のロック装置を提供することである。
【０００７】
本願考案の別の課題は、レールの外側をロックレバーが移動することによる安全性の問題を解消するようにした脚のロック装置を提供することである。
【０００８】
本願考案のさらに別の課題は、レールの内側においてロックレバーを回動可能に取付けるようにし、これによってロックレバーとレールとの間で指が挟まれないようにした脚のロック装置を提供することである。
【０００９】
本願考案のさらに別の課題は、レールの端部から開口を通して引出されたロックレバーの操作部を操作することにより、ロック解除を行ない得るようにした脚のロック装置を提供することである。
【００１０】
本願考案の上記の課題および別の課題は、以下に述べる本願考案の技術的思想、およびその実施の形態によって明らかにされる。
【課題を解決するための手段】
【００１１】
本願の主要な考案は、天板の下面に回動可能に取付けられた脚を前記天板の下面から引出してロックするようにした脚のロック装置において、
前記天板の下面に取付けられ、内部が空洞になっており、しかも側面に摺動溝を有するレールと、
前記脚の中間位置に連結されたアームと、
前記アームの先端部に連結され、前記レールの摺動溝内を移動する被ロックピンと、
前記レール内において回動自在に取付けられるとともに、ロック方向に回動付勢され、前記脚が引出されたときに前記被ロックピンをロックするロックレバーと
を具備する脚のロック装置に関するものである。
【００１２】
ここで、前記被ロックピンの前記摺動溝から突出した部分が前記アームの先端部と連結されてよい。また前記レールの両側面に摺動溝が設けられ、前記被ロックピンの両側の摺動溝から突出する部分が両側の脚のアームの先端部と連結されて前記レール内を移動してよい。また前記ロックレバーの長さ方向の先端部に該長さ方向に対して折曲げられた折曲げ部が形成され、該折曲げ部が前記被ロックピンと係合してよい。また前記ロックレバーの前記折曲げ部の両側に先端側に延出された案内板が設けられ、該案内板が前記被ロックピンによって押されて前記ロックレバーをロック方向とは逆の方向に回動させることにより前記被ロックピンが前記折曲げ部を乗越えて該折曲げ部でロックされてよい。また前記レールの前記脚側端部に開口が形成され、該開口を通して前記ロックレバーの先端側の操作部が外側に延出されており、該操作部を押圧操作すると前記ロックレバーが非ロック方向に回動されて折曲げ部が前記被ロックピンから外れてロックが解除されてよい。
【考案の効果】
【００１３】
本願考案は、天板の下面に回動可能に取付けられた脚を前記天板の下面から引出してロックするようにした脚のロック装置において、前記天板の下面に取付けられ、内部が空洞になっており、しかも側面に摺動溝を有するレールと、前記脚の中間位置に連結されたアームと、前記アームの先端部に連結され、前記レールの摺動溝内を移動する被ロックピンと、前記レール内において回動自在に取付けられるとともに、ロック方向に回動付勢され、前記脚が引出されたときに前記被ロックピンをロックするロックレバーとを具備するようにしたものである。
【００１４】
従ってこのような脚のロック装置によると、脚を開いてアームの先端側の被ロックピンをレールの摺動溝に沿ってロック位置側へ移動させ、完全に開かれた状態で、アームの先端部の被ロックピンがロックレバーによってロックされることになる。ここでロックレバーがレール内に回動可能に取付けられているために、ロックレバーとレールとの間に指を挟むことがなく、安全性が高い脚のロック装置を提供することが可能になる。
【図面の簡単な説明】
【００１５】
【図１】本考案の一実施の形態の脚のロック装置を備える机の斜め下から見た斜視図である。
【図２】同机の底部側を斜め下から見た斜視図である。
【図３】脚のロック装置の全体の構成を示す外観斜視図である。
【図４】同ロック装置の斜め下側から見た分解斜視図である。
【図５】レールとロックレバーとの組立てを示す要部分解斜視図である。
【図６】脚を開いた状態（Ａ）および閉じた状態（Ｂ）の断面図である。
【考案を実施するための形態】
【００１６】
以下本願考案を図示の実施の形態によって説明する。図１および図２に示すように、本実施の形態の脚のロック装置を有する机は、長方形であって所定の厚みを有する木製の天板１０と、この天板１０の下面において、天板１０を４つのコーナの部分で支える４本の角柱状の脚１１とから構成される。４本の脚１１の内の左側の２本の脚１１と右側の２本の脚１１とは、それぞれが横長の連結板１２によって互いに連結されている。そして脚１１は連結板１２によって、ヒンジ１３を介して天板１０の下面に回動自在に取付けられており、使用状態においては図１に示すように引出されて直立状態になる。これに対して不使用状態の場合には、脚１１は図２に示すように天板１０の下面に収納するように折畳めるようにしている。なお折畳んだ状態で天板１０を何段にも重ねるために（図６Ｂ参照）、脚１１の側部にゴム製あるいはプラスチック製の座１４を取付けるようにしている。また折畳んだ状態でこの机を容易に持運べるように、天板１０の下面には取手１５が取付けられている。
【００１７】
次にこのような机の天板１０の下側の脚１１の開かれた状態におけるロックの機構について説明する。図２に示すように、天板１１の下面であってその左側と右側とにはそれぞれ互いに対向するように一対のレール２０が取付けられている。レール２０は図３〜図５に示すように、その幅方向の断面がコ字状をなして内部が空洞になっている。そしてレール２０の左右両側にはそれぞれ３つずつの取付け片２１が取付けられている。またこのレール２０の長さ方向の一端側には取付け片２２が形成されている。これらの取付け片２１、２２によって、レール２０は天板１０の下面にビス止め等の方法によって取付けられる。そしてレール２０の両側の側部２３には、このレール２０の長さ方向に沿って摺動溝２４が形成されている。この摺動溝２４は、両側の脚１１の高さ方向の中間位置に連結された両側のアーム２５の先端部を連結する被ロックピン２７が挿通されるようになっている。なおアーム２５は、その基端側の部分が脚１１の高さ方向の真中よりもやや高めの中間位置で取付けピン２６によって取付けられている。またアーム２５とレール２０の側壁との間には円形のワッシャ２８が介装されるようになっている。
【００１８】
次に上記レール２０内に配されるロックレバーについて説明すると、図３および図５に示すように、レール２０の内側の空洞部分に沿うように細長いレバー３２がレール２０内に組込まれている。ロックレバー３２は取付けピン３３を介してレール２０の脚１１側の端部に回動可能に取付けられている。取付けピン３３には巻きばね３４が介装され、この巻きばね３４の端部がレール２０の両側の壁部２３によって保持されているストッパピン３５に当接し、これによって左側のロックレバー３２は図６Ａにおいて反時計方向に回動付勢され、右側のロックレバー３２はピン３３を中心として時計方向に回動付勢されている。
【００１９】
次に上記ロックレバー３２のロック部の構造について説明すると、ロックレバー３２の先端部にはこのロックレバー３２の長さ方向に対して直交するように上方に折曲げられた折曲げ部３８が形成されている。この折曲げ部３８が被ロックピン２７と係合され、これによってロック動作を行なう部位である。また上記ロックレバー３２の折曲げ部３８の両側には三角形の案内板３９が連設されている。この案内板３９の上面は傾斜面４０になっており、上記被ロックピン２７を案内することによって相対的にこのロックレバー３２をロック方向とは逆方向に回動させ、折曲げ部３８を被ロックピン２７が乗越えるようにしている。また上記ロックレバー３２の折曲げ部３８とは反対側の先端部には操作部４１が設けられ、この操作部４１がレール２０の開口４２から外方に突出されている。
【００２０】
次に以上のような構成になるこの机の使用方法について説明する。収納状態においては図２および図６Ｂに示すように、天板１０の下面に脚１１が収納するように折畳まれている。なおこのときに、脚１１のアーム２５の先端側の被ロックピン２７はそれぞれレール２０の側壁２３の摺動溝２４内を摺動するようにしており、ロックレバー３２の取付け位置とは反対側であって、図６Ｂにおいて左側の脚１１側のアーム２５の先端の被ロックピン２７は摺動溝２４の右端側に位置している。また右側の脚１１と連結されたアーム２５の先端側の被ロックピン２７は、レール２０の摺動溝２４の左端側の部分に位置している。そしてこのときには、これらの被ロックピン２７は単に摺動溝２４の端部に位置しているだけであって、ロックレバー３２によるロックは行なわれていない。
【００２１】
このような状態において、図１および図６Ａに示すように、天板１０に対して脚１１を開くと、脚１１とともにアーム２５が引出されるようになり、このためにアーム２５の先端側に取付けられている被ロックピン２７がレール２０の側壁２３の摺動溝２４内をロックレバー３２がある端部側の方に向って移動する。すなわち図６Ａにおいて左側の脚１１に連結されたアーム２５は、摺動溝２４の左端側に向って移動する。また図６Ａにおいて右側の脚１１のアーム２５の先端に取付けられている被ロックピン２７はレール２０の摺動溝２４内を右方に向って移動する。
【００２２】
そしてそれぞれの被ロックピン２７がレール２０の側壁２３の摺動溝２４の左端または右端まで移動すると、ロックレバー３２の先端側の案内板３９の傾斜面４０に当接し、これによって被ロックピン２７がロックレバー３２をロック解除方向に押す。すなわち図６Ａにおける左側の被ロックピン２７は、左側のロックレバー３２の傾斜面４０を押すようにし、これによってロックレバー３２を取付けピン３３を中心として巻きばね３４に抗して時計方向に回動させ、被ロックピン２７は傾斜面４０を乗越えて折曲げ部３８によってロックされるようになる。同様に右側の脚１１のアーム２５の先端側の被ロックピン２７は、レール２０の側壁２３の摺動溝２４内を右方に移動し、ロックレバー３２の先端側の案内板３９の傾斜面４０を押しながらこのロックレバー３２を反時計方向に回動させながら押下げ、被ロックピン２７は傾斜面４０を乗越えて折曲げ部３８と係合されてロックが行なわれる。すなわちここでは、左右の脚１１をそれぞれ外方であって直立する方向に開くことによって、ロックレバー３２の折曲げ部３８が対応するアーム２５の被ロックピン２７をそれぞれロックするようになり、自動的なロック動作が行なわれる。
【００２３】
次に上記のような脚１１のロックを解除する操作は、ロックレバー３２の操作部４１の押圧操作によって行なわれる。すなわち図６Ａに示すように、左右の被ロックピン２７が対応するロックレバー３２の折曲げ部３８によってロックされている状態で、左側のロックレバー３２の操作部４１を上に押すようにすると、ロックレバー３２が取付けピン３３を中心として、巻きばね３４に抗して時計方向に回動されるようになり、これによってロックレバー３２の折曲げ部３８によるロック動作が解除される。同様に右側の脚１１のアーム２５の先端側の被ロックピン２７についても、右側のレール２０の開口４２から突出する操作部４１を押圧操作することによって、このロックレバー３２を取付けピン３３を中心として巻きばね３４に抗して反時計方向に回動させる。するとロックレバー３２の折曲げ部３８による被ロックピン２７のロック動作が解消されるようになり、これによって右側の脚１１のロックが解除されることになる。従ってこの後、左右の脚１１をそれぞれ折畳むように図６Ｂに示すように折曲げることによって、これらの脚１１が天板１０の下側に収納される。
【００２４】
このような脚１１のロック動作および非ロック動作は、レール２０内において回動可能に取付けられたロックレバー３２によって達成されることになり、ロックレバー３２はレール２０の外側に露出していないために、ロックレバー３２とレール２０との間で指を挟まれる危険性が全くない。またロックの解除の操作も、ロックレバー３２の操作部４１であってレール２０の端部に形成された開口４２から露出する操作部４１の操作によって行なうことができ、レール２０の内側にアクセスする必要がないために、ロックの解除動作も極めて安全性が高く、事故が起こり難い構造になる。しかも折畳まれた状態において、図６Ｂに示すように、脚１１の側部に取付けられた座１４が下側に位置するために、何段にも積重ねる際に座１４が下側の机の天板の上に接触することになるために、積重ねても天板１０を傷つけることがなくなる。
【００２５】
以上本願考案を図示の実施の形態によって説明したが、本願案は上記実施の形態によって限定されることなく、本願考案の技術的思想の範囲内において各種の変更が可能である。例えば上記実施の形態においては、レール２０内のロックレバー３２は、脚１１が開かれて直立した状態でロックを行なうようにしているが、このような構成に加えて、さらに脚１１が折畳まれて収納された状態でもロックできるようにしたロック機構を付加するようにしてもよい。
【産業上の利用可能性】
【００２６】
本願考案は、脚を収納および引出し可能にした机における脚のロック機構に広く利用することが可能である。
【符号の説明】
【００２７】
１０  天板
１１  脚
１２  連結板
１３  ヒンジ
１４  座
１５  取手
２０  レール
２１、２２  取付け片
２３  側壁
２４  摺動溝
２５  アーム
２６  取付けピン
２７  被ロックピン
２８  ワッシャ
３２  ロックレバー
３３  取付けピン
３４  巻きばね
３５  ストッパピン
３８  折曲げ部
３９  案内板
４０  傾斜面
４１  操作部
４２  開口
【図１】
0003186602.tif 000003
【図２】
0003186602.tif 000004
【図３】
0003186602.tif 000005
【図４】
0003186602.tif 000006
【図５】
0003186602.tif 000007
【図６】
0003186602.tif 000008